(57)【特許請求の範囲】
【請求項１】
光源から出射された光を測定光と参照光に分割し、測定光を被検眼の眼底又は前眼部に導き，参照光を装置内部の参照光学系に導いた後、被検眼の眼底又は前眼部で反射した測定光と参照光との合成により得られる干渉光を受光素子に受光させる干渉光学系と、
前記測定光の光路中に配置され，被検眼の眼底又は前眼部上で横断方向に前記測定光を走査させるために前記測定光の進行方向を変える光スキャナと、
前記測定光又は前記参照光の光路中に配置され、測定光と参照光の光路差を調整するために第１駆動部により光軸方向に移動される光路長可変部材と、
を備え、前記受光素子の出力信号に基づいて被検眼の眼底及び前眼部の断層画像を撮影可能な眼科撮影装置であって、
被検眼の眼底の断層像を撮影するための眼底撮影モードと、被検眼の前眼部の断層像を撮影する前眼部撮影モードと、に設定可能なモード設定手段と、
前眼部撮影モードにて撮影を行う場合、駆動指令信号に基づいて第１駆動部の駆動を制御し、前眼部断層像撮影モードに対応する所定位置に前記光路長可変部材を位置させる駆動制御手段と、を備えることを特徴とする眼科撮影装置。
【請求項２】
光源から出射された光を測定光と参照光に分割し、測定光を被検眼の眼底又は前眼部に導き，参照光を装置内部の参照光学系に導いた後、被検眼の眼底又は前眼部で反射した測定光と参照光との合成により得られる干渉光を受光素子に受光させる干渉光学系と、
前記測定光の光路中に配置され，被検眼の眼底又は前眼部上で横断方向に前記測定光を走査させるために前記測定光の進行方向を変える光スキャナと、
前記測定光又は前記参照光の光路中に配置され、測定光と参照光の光路差を調整するために第１駆動部により光軸方向に移動される光路長可変部材と、
を備え、前記受光素子の出力信号に基づいて被検眼の眼底及び前眼部の断層画像を撮影可能な眼科撮影装置であって、
被検眼の眼底の断層像を撮影するための眼底撮影モードと、被検眼の前眼部の断層像を撮影する前眼部撮影モードと、に設定可能なモード設定手段と、
前眼部撮影モードにて撮影を行う場合、前記光路長可変部材の移動を禁止又は移動範囲を所定範囲内に制限する制御手段と、を備えることを特徴とする眼科撮影装置。
【請求項３】
光源から出射された光を測定光と参照光に分割し、測定光を被検眼の眼底又は前眼部に導き，参照光を装置内部の参照光学系に導いた後、被検眼の眼底又は前眼部で反射した測定光と参照光との合成により得られる干渉光を受光素子に受光させる干渉光学系と、
前記測定光の光路中に配置され，被検眼の眼底又は前眼部上で横断方向に前記測定光を走査させるために前記測定光の進行方向を変える光スキャナと、
前記測定光又は前記参照光の光路中に配置され、測定光と参照光の光路差を調整するために第１駆動部により光軸方向に移動される光路長可変部材と、
を備え、前記受光素子の出力信号に基づいて被検眼の眼底及び前眼部の断層画像を撮影可能な眼科撮影装置であって、
前記干渉光学系は、被検眼眼底に対するフォーカス調整のために第２駆動部により光軸方向に移動されるフォーカシングレンズを持ち、
被検眼の眼底の断層像を撮影するための眼底撮影モードと、被検眼の前眼部の断層像を撮影する前眼部撮影モードと、に設定可能なモード設定手段と、
前眼部撮影モードにて撮影を行う場合、前記フォーカシングレンズの移動を禁止する制御手段と、を備えることを特徴とする眼科撮影装置。
【請求項４】
光源から出射された光を測定光と参照光に分割し、測定光を被検眼の眼底又は前眼部に導き，参照光を装置内部の参照光学系に導いた後、被検眼の眼底又は前眼部で反射した測定光と参照光との合成により得られる干渉光を受光素子に受光させる干渉光学系と、
前記測定光の光路中に配置され，被検眼の眼底又は前眼部上で横断方向に前記測定光を走査させるために前記測定光の進行方向を変える光スキャナと、
前記測定光又は前記参照光の光路中に配置され、測定光と参照光の光路差を調整するために第１駆動部により光軸方向に移動される光路長可変部材と、
を備え、前記受光素子の出力信号に基づいて被検眼の眼底及び前眼部の断層画像を撮影可能な眼科撮影装置であって、
被検眼の眼底の断層像を撮影するための眼底撮影モードと、被検眼の前眼部の断層像を撮影する前眼部撮影モードと、に設定可能なモード設定手段と、
前記干渉光学系を内蔵する筐体と、
前記筐体を電動にて移動させる電動駆動部と、
前記モード設定手段によって設定される撮影モードに応じて前記電動駆動部の駆動を制御する制御手段と、
を備えることを特徴とする眼科撮影装置。
【発明の詳細な説明】
【技術分野】
【０００１】
被検眼の断層像を撮影する眼科撮影装置に関する。
【背景技術】
【０００２】
光源から出射された光束を測定光束と参照光束に分割し、測定光束を被検眼の所定部位に導き，参照光束を参照光学系に導いた後、被検眼の所定部位で反射した測定光束と参照光束との合成により得られる干渉光を受光素子に受光させる干渉光学系を持ち、被検眼眼底の断層像を撮影する眼科撮影装置（Optical Coherence Tomography：ＯＣＴ）が知られている。このような装置では、所定の光路長変更部材を光軸方向に移動させることで、被検眼の眼軸長の違いに対応して測定光と参照光の光路差が調整できるようになっている（特許文献１参照）。
【０００３】
ところで、上記のような装置において、測定光の焦点位置を眼底から前眼部へと移動させるレンズ系を持つアダプターを検査窓に装着すれば、前眼部断層像を撮像することも可能である。
【先行技術文献】
【特許文献】
【０００４】
【特許文献１】特開２００８−２９４６７号公報
【発明の概要】
【発明が解決しようとする課題】
【０００５】
ところで、上記のような装置において、前眼部断層像を撮影しようとする場合、前眼部断層像が得られるように、測定光と参照光の光路差を調整する必要がある。しかしながら、従来の装置では、眼底撮影時と同様の移動範囲にて光路長変更部材を移動させ断層像を探索していたため、フォーカスが合っていない状態の断層像が取得されたり、アダプターのレンズ系が断層像として誤って取得される可能性があった。
【０００６】
本発明は、上記問題点を鑑み、眼底と前眼部の断層像を取得可能な眼科撮影装置において、前眼部断層像を好適に撮影できる眼科撮影装置を提供することを技術課題とする。
【課題を解決するための手段】
【０００７】
上記課題を解決するために、本発明は以下のような構成を備えることを特徴とする。
【０００８】
（１）
光源から出射された光を測定光と参照光に分割し、測定光を被検眼の眼底又は前眼部に導き，参照光を装置内部の参照光学系に導いた後、被検眼の眼底又は前眼部で反射した測定光と参照光との合成により得られる干渉光を受光素子に受光させる干渉光学系と、
前記測定光の光路中に配置され，被検眼の眼底又は前眼部上で横断方向に前記測定光を走査させるために前記測定光の進行方向を変える光スキャナと、
前記測定光又は前記参照光の光路中に配置され、測定光と参照光の光路差を調整するために第１駆動部により光軸方向に移動される光路長可変部材と、
を備え、前記受光素子の出力信号に基づいて被検眼の眼底及び前眼部の断層画像を撮影可能な眼科撮影装置であって、
被検眼の眼底の断層像を撮影するための眼底撮影モードと、被検眼の前眼部の断層像を撮影する前眼部撮影モードと、に設定可能なモード設定手段と、
前眼部撮影モードにて撮影を行う場合、駆動指令信号に基づいて第１駆動部の駆動を制御し、前眼部断層像撮影モードに対応する所定位置に前記光路長可変部材を位置させる駆動制御手段と、を備えることを特徴とする。
（２）
光源から出射された光を測定光と参照光に分割し、測定光を被検眼の眼底又は前眼部に導き，参照光を装置内部の参照光学系に導いた後、被検眼の眼底又は前眼部で反射した測定光と参照光との合成により得られる干渉光を受光素子に受光させる干渉光学系と、
前記測定光の光路中に配置され，被検眼の眼底又は前眼部上で横断方向に前記測定光を走査させるために前記測定光の進行方向を変える光スキャナと、
前記測定光又は前記参照光の光路中に配置され、測定光と参照光の光路差を調整するために第１駆動部により光軸方向に移動される光路長可変部材と、
を備え、前記受光素子の出力信号に基づいて被検眼の眼底及び前眼部の断層画像を撮影可能な眼科撮影装置であって、
被検眼の眼底の断層像を撮影するための眼底撮影モードと、被検眼の前眼部の断層像を撮影する前眼部撮影モードと、に設定可能なモード設定手段と、
前眼部撮影モードにて撮影を行う場合、前記光路長可変部材の移動を禁止又は移動範囲を所定範囲内に制限する制御手段と、を備えることを特徴とする。
（３）
光源から出射された光を測定光と参照光に分割し、測定光を被検眼の眼底又は前眼部に導き，参照光を装置内部の参照光学系に導いた後、被検眼の眼底又は前眼部で反射した測定光と参照光との合成により得られる干渉光を受光素子に受光させる干渉光学系と、
前記測定光の光路中に配置され，被検眼の眼底又は前眼部上で横断方向に前記測定光を走査させるために前記測定光の進行方向を変える光スキャナと、
前記測定光又は前記参照光の光路中に配置され、測定光と参照光の光路差を調整するために第１駆動部により光軸方向に移動される光路長可変部材と、
を備え、前記受光素子の出力信号に基づいて被検眼の眼底及び前眼部の断層画像を撮影可能な眼科撮影装置であって、
前記干渉光学系は、被検眼眼底に対するフォーカス調整のために第２駆動部により光軸方向に移動されるフォーカシングレンズを持ち、
被検眼の眼底の断層像を撮影するための眼底撮影モードと、被検眼の前眼部の断層像を撮影する前眼部撮影モードと、に設定可能なモード設定手段と、
前眼部撮影モードにて撮影を行う場合、前記フォーカシングレンズの移動を禁止する制御手段と、を備えることを特徴とする。
（４）
光源から出射された光を測定光と参照光に分割し、測定光を被検眼の眼底又は前眼部に導き，参照光を装置内部の参照光学系に導いた後、被検眼の眼底又は前眼部で反射した測定光と参照光との合成により得られる干渉光を受光素子に受光させる干渉光学系と、
前記測定光の光路中に配置され，被検眼の眼底又は前眼部上で横断方向に前記測定光を走査させるために前記測定光の進行方向を変える光スキャナと、
前記測定光又は前記参照光の光路中に配置され、測定光と参照光の光路差を調整するために第１駆動部により光軸方向に移動される光路長可変部材と、
を備え、前記受光素子の出力信号に基づいて被検眼の眼底及び前眼部の断層画像を撮影可能な眼科撮影装置であって、
被検眼の眼底の断層像を撮影するための眼底撮影モードと、被検眼の前眼部の断層像を撮影する前眼部撮影モードと、に設定可能なモード設定手段と、
前記干渉光学系を内蔵する筐体と、
前記筐体を電動にて移動させる電動駆動部と、
前記モード設定手段によって設定される撮影モードに応じて前記電動駆動部の駆動を制御する制御手段と、
を備えることを特徴とする。
【発明の効果】
【０００９】
眼底と前眼部の断層像を取得可能な眼科撮影装置において、前眼部断層像を好適に撮影できる。
【発明を実施するための形態】
【００１０】
本発明の実施形態を図面に基づいて説明する。図１は、本実施形態の眼科撮影装置の光学系及び制御系を示す図である。なお、本実施形態においては、被検眼の奥行き方向をＺ方向（光軸Ｌ１方向）、水平方向をＸ方向、鉛直方向をＹ方向として説明する。
【００１１】
図１において、その光学系は、被検眼眼底の断層画像を光干渉の技術を用いて非侵襲で得るための干渉光学系（以下、ＯＣＴ光学系とする）２００と、赤外光を用いて被検眼の眼底を照明し観察するためのＳＬＯ眼底像を取得するスキャニングレーザオフサルモスコープ（ＳＬＯ）光学系３００と、に大別される。なお、上記各光学系は、光源から出射した少なくとも一部の光を被検者眼の所定部位に向けて投光する投光光学系と、被検者眼の所定部位からの反射光を受光素子で受光する受光光学系と、を有し、被検者眼の撮影画像を得るための撮影光学系として用いられる。なお、ＯＣＴ光学系２００には、スペクトラル・ドメイン型のＯＣＴ光学系が使用されている（もちろん、タイムドメイン型（ＴＤ−ＯＣＴ）、スウィプト・ソース・ドメイン型（ＳＳ−ＯＣＴ）でもよい）。なお、干渉光学系２００及びＳＬＯ光学系３００は、筐体１００（図２参照）に内蔵されている。また、その筐体は、周知のアライメント用移動機構（手動又は電動）により、被検者眼Ｅに対して三次元的に移動される。
【００１２】
なお、４０は光分割部材としてのダイクロイックミラーであり、ＯＣＴ光学系２００に用いられる測定光源２７から発せられる測定光（例えば、λ＝８４０ｎｍ付近）を反射し、ＳＬＯ光学系３００に用いられる光出射部６１から発せられるレーザ光（光源２７とは異なる波長の光  例えば、λ＝７８０ｎｍ付近）を透過する特性を有する。この場合、ダイクロイックミラー４０は、ＯＣＴ光学系２００の測定光軸Ｌ２とＳＬＯ光学系３００の測定光軸Ｌ１とを同軸にする。
【００１３】
まず、ダイクロイックミラー４０の反射側に設けられたＯＣＴ光学系２００の構成について説明する。ＯＣＴ光学系２００は、光源から出射された光束を測定光束と参照光束に分割し、測定光束を被検眼の所定部位（前眼部又は眼底）に導き，参照光束を参照光学系に導いた後、被検眼の所定部位で反射した測定光束と参照光束との合成により得られる干渉光を受光素子に受光させる。
【００１４】
２７はＯＣＴ光学系２００の測定光及び参照光として用いられる低コヒーレントな光を発するＯＣＴ光源であり、例えばＳＬＤ光源等が用いられる。ＯＣＴ光源２７には、例えば、中心波長８４０ｎｍで５０ｎｍの帯域を持つ光源が用いられる。２６は光分割部材と光結合部材としての役割を兼用するファイバーカップラーである。ＯＣＴ光源２７から発せられた光は、導光路としての光ファイバ３８ａを介して、ファイバーカップラー２６によって参照光と測定光とに分割される。測定光は光ファイバ３８ｂを介して被検眼Ｅへと向かい、参照光は光ファイバ３８ｃを介して参照ミラー３１へと向かう。
【００１５】
測定光を被検眼Ｅへ向けて出射する光路には、測定光を出射する光ファイバ３８ｂの端部３９ｂ、コリメートレンズ２２、被検眼眼底に対するフォーカス調整のため被検眼の屈折誤差に合わせて光軸方向に移動可能なフォーカシングレンズ２４、走査駆動機構５１の駆動により眼底上でＸＹ方向に測定光を走査させることが可能な２つのガルバノミラーの組み合せからなる走査部２３と、が配置されている。ダイクロイックミラー４０及び対物レンズ１０は、ＯＣＴ光学系２００からのＯＣＴ測定光を被検眼眼底へと導光する導光光学系としての役割を有する。なお、本実施形態の走査部２３では、２つのガルバノミラーによって測定光の反射角度を任意に調整することにより、眼底上に走査させる測定光の走査方向を任意に設定できるような構成となっている。よって、被検眼眼底の任意の領域の断層画像を得ることが可能となる。なお、光ファイバ３８ｂの端部３９ｂは、被検眼眼底と共役となるように配置される。また、走査部２３の２つのガルバノミラーは、被検眼瞳孔と略共役な位置に配置される。
【００１６】
上記ガルバノミラー及び走査駆動機構５１は、測定光束の光路中に配置され，被検眼の所定部位上で横断方向（ＸＹ方向）に測定光束を走査させるために測定光束の進行方向を変える光スキャナ（光走査部）として用いられる。光スキャナには、ミラーの他、光の進行（偏向）方向を変化させる音響光学素子（ＡＯＭ）等が用いられる。
【００１７】
光ファイバ３８ｂの端部３９ｂから出射した測定光は、コリメートレンズ２２によってコリメートされた後、フォーカシングレンズ２４を介して、走査部２３に達し、２つのガルバノミラーの駆動により反射方向が変えられる。そして、走査部２３で反射された測定光は、ダイクロイックミラー４０で反射された後、ダイクロイックミラー９１及び対物レンズ１０を介して、被検眼眼底に集光される。
【００１８】
そして、眼底で反射した測定光は、対物レンズ１０及びダイクロイックミラー９１を介して、ダイクロイックミラー４０で反射し、ＯＣＴ光学系２００に向かい、走査部２３の２つのガルバノミラー、フォーカシングレンズ２４、及びコリメートレンズ２２を介して、光ファイバ３８ｂの端部３９ｂに入射する。端部３９ｂに入射した測定光は、光ファイバ３８ｂ、ファイバーカップラー２６、光ファイバ３８ｄを介して、光ファイバ３８ｄの端部８４ａに達する。
【００１９】
一方、参照光を参照ミラー３１に向けて出射する光路には、参照光を出射する光ファイバ３８ｃの端部３９ｃ、コリメータレンズ２９、参照ミラー３１が配置されている。参照ミラー３１は、参照光の光路長を変化させるべく、参照ミラー駆動機構５０により光軸方向に移動可能な構成となっている。
【００２０】
光ファイバー３８ｃの端部３９ｃから出射した参照光は、コリメータレンズ２９で平行光束とされ、参照ミラー３１で反射された後、コリメータレンズ２９により集光されて光ファイバ３８ｃの端部３９ｃに入射する。端部３９ｃに入射した参照光は、光ファイバ３８ｃを介して、ファイバーカップラー２６に達する。
【００２１】
そして、光源２７から発せられた光によって前述のように生成される参照光と被検眼眼底に照射された測定光による眼底反射光は、ファイバーカップラー２６にて合成され干渉光とされた後、光ファイバ３８ｄを通じて端部８４ａから出射される。８００は周波数毎の干渉信号を得るために干渉光を周波数成分に分光する分光光学系８００（スペクトロメータ部）であり、コリメータレンズ８０、グレーティング（回折格子）８１、集光レンズ８２、受光素子８３にて構成されている。受光素子８３は、赤外域に感度を有する一次元素子（ラインセンサ）を用いている。
【００２２】
ここで、端部８４ａから出射された干渉光は、コリメータレンズ８０にて平行光とされた後、グレーティング８１にて周波数成分に分光される。そして、周波数成分に分光された干渉光は、集光レンズ８２を介して、受光素子８３の受光面に集光する。これにより、受光素子８３上で干渉縞のスペクトル情報が記録される。そして、そのスペクトル情報が制御部７０へと入力され、フーリエ変換を用いて解析することで、被験者眼の深さ方向における情報（Ａスキャン信号）が計測可能となる。ここで、制御部７０は、走査部２３により測定光を眼底上で所定の横断方向に走査することにより断層画像を取得できる。例えば、Ｘ方向もしくはＹ方向に走査することにより、被検眼眼底のＸＺ面もしくはＹＺ面における断層画像を取得できる（なお、本実施形態においては、このように測定光を眼底に対して１次元走査し、断層画像を得る方式をＢスキャンとする）。なお、取得された断層画像は、制御部７０に接続されたメモリ７２に記憶される。さらに、測定光をＸＹ方向に２次元的に走査することにより、被検眼眼底の３次元画像を取得することも可能である。なお、本実施形態におけるＯＣＴ画像の取得は、走査部２３に設けられた２つのガルバノミラーによって行われる。
【００２３】
次に、ダイクロイックミラー４０の透過方向に配置されたＳＬＯ光学系（共焦点光学系）３００について説明する。ＳＬＯ光学系３００は、被検眼眼底を照明する照明光学系と、該照明光学系によって照明された眼底反射光を受光素子により受光する受光光学系とに大別され、受光素子から出力される受光信号に基づいて被検眼眼底の正面画像を得る。
【００２４】
光出射部６１は、赤外域の波長の光（例えば、λ＝７８０ｎｍ）を発する第１の光源（ＳＬＯ光源）６１ａと可視域の波長の光（例えば、λ＝６３０ｎｍ）を発する第２の光源（固視光源）６１ｂ、ミラー６９、ダイクロイックミラー１０１とを有する。なお、第１の光源６１ａと第２の光源６１ｂには、輝度が高く、指向性の高い光を発する光源（レーザダイオード光源、ＳＬＤ光源、等）が用いられる。第１の光源６１ａを出射した赤外光は、ダイクロイックミラー１０１を透過し、コリメートレンズ６５を介してビームスプリッタ６２に進む。第２の光源６１ｂを出射した可視光は、ミラー６９にて折り曲げられた後、ダイクロイックミラー１０１にて反射して第１の光源６１ａから出射した光と同軸とされる。第１の光源６１ａは観察用の正面眼底画像を得るために用いられ、第２の光源６１ｂは被検眼の視線方向を誘導させるために用いられる。
【００２５】
光出射部６１から発せられるレーザ光を被検眼Ｅに向けて出射する光路には、コリメートレンズ６５、被検眼の屈折誤差に合わせて光軸方向に移動可能なフォーカシングレンズ６３、走査駆動機構５２の駆動により眼底上でＸＹ方向に測定光を高速で走査させることが可能なガルバノミラーとポリゴンミラーとの組み合せからなる走査部６４、対物レンズ１０が配置されている。また、走査部６４のガルバノミラー及びポリゴンミラーの反射面は、被検眼瞳孔と略共役な位置に配置される。
【００２６】
また、光出射部６１とフォーカシングレンズ６３との間には、ビームスプリッタ６２が配置されている。そして、ビームスプリッタ６２の反射方向には、共焦点光学系を構成するための集光レンズ６６と、眼底に共役な位置に置かれる共焦点開口６７と、ＳＬＯ用受光素子６８とが設けられている。
【００２７】
ここで、光出射部６１から発せられたレーザ光（測定光、又は固視光束）は、コリメートレンズ６２を介してビームスプリッタ６２を透過した後、フォーカシングレンズ６３を介して、走査部６４に達し、ガルバノミラー及びポリゴンミラーの駆動により反射方向が変えられる。そして、走査部６４で反射されたレーザ光は、ダイクロイックミラー４０を透過した後、ダイクロイックミラー９１及び対物レンズ１０を介して、被検眼眼底に集光される。
【００２８】
そして、眼底で反射したレーザ光（測定光）は、対物レンズ１０、ダイクロイックミラー９１、走査部６４のガルバノミラー及びポリゴンミラー、フォーカシングレンズ６３を経て、ビームスプリッタ６２にて反射される。その後、集光レンズ６６にて集光された後、共焦点開口６７を介して、受光素子６８によって検出される。そして、受光素子６８にて検出された受光信号は制御部７０へと入力される。制御部７０は受光素子６８にて得られた受光信号に基づいて被検眼眼底の正面画像を取得する。取得された正面画像はメモリ７２に記憶される。なお、ＳＬＯ画像の取得は、走査部６４に設けられたガルバノミラーによるレーザ光の縦方向の走査（副走査）とポリゴンミラーによるレーザ光の横方向の走査（主走査）によって行われる。
【００２９】
＜アライメント指標投影光学系＞
赤外光源１５１を持ち、被検者眼にアライメント指標を投影するための投影光学系１５０は、装置筐体１００に設けられた検査窓（覗き窓）１６０の外側に配置され、眼Ｅの斜め前方（対物レンズ１０）から指標を投影する（図２（ａ）の要部外観図参照）。
【００３０】
より具体的には、赤外光源１５１が、撮影光軸Ｌ１を中心として同心円上に４５度間隔で複数個配置されている。なお、図１には、便宜上、撮影光軸Ｌ１を通る垂直平面を挟んで左右対称に配置された赤外光源１５１（０度、及び１８０）が図示されている。
【００３１】
アダプター５００が未装着のとき、光源１５１は、被検眼前眼部に向け斜め方向から光束を出射する。各赤外光源１５１から赤外光が発せられると、リング状に配置された輝点が眼Ｅの前眼部に形成される。投影された指標像は前眼部像と共にモニタ７５に表示され、検者が眼Ｅに対して位置合わせする際に用いられる。なお、投影光学系１５０は、眼Ｅの前眼部を照明する前眼部照明としても用いられる。なお、前眼部照明は、専用の光源を設けても良い。
【００３２】
＜前眼部観察光学系＞
眼Ｅを撮像し前眼部像を得るために配置された観察光学系９０は、対物レンズ１０、ダイクロイックミラー９１、結像レンズ９５、二次元撮像素子（二次元受光素子）９７を備える。ダイクロイックミラー９１は、赤外光源１５１から発せられた波長の光を反射し、他の光を透過する特性を有している。
【００３３】
赤外光源１５１による前眼部反射光及びアライメント光束は、対物レンズ１０を介してダイクロイックミラー９１によって反射された後、結像レンズ９５を介して二次元撮像素子９７により受光される。二次元撮像素子９７の出力は制御部７０に送信され、モニタ７５には二次元撮像素子９７によって撮像された前眼部像が表示される（図３参照）。
【００３４】
なお、上記投影光学系１５０及び観察光学系９０は、後述する前眼部アダプター５００の装着状態を光学的に検知する検知光学系として兼用される。なお、本実施形態における検知光学系は、アダプター５００の着脱を検知すると共に、検査窓１６０に適正に装着されているかを検知する構成となっている。
【００３５】
図２（ｂ）は前眼部アダプター（以下、アダプター）５００が検査窓１５０に装着された状態の図である。アダプター５００は、前眼部を撮影する際に検査窓１６０に装着され、被検眼に対する測定光の焦点位置を眼底から前眼部へと移動させるレンズ系を持つ。これにより、前述のＯＣＴ光学系２００とＳＬＯ光学系３００が眼底撮像光学系から前眼部撮像光学系に切換えられる。
【００３６】
検査窓１６０には、溝１６２が設けられ、アダプター５００の図示無き凸部と溝１６２が嵌め合い、アダプター５００の回転が規制される。検者は、左右に設けられたチャック部５２０をつまみ、チャック部５２０の先端に設けられた凸部５２２が検査窓５２０の凹部１６５に嵌まるようにアダプター５００を装着する（図４参照）。なお、アダプター５００を装着させるための機構としては、ネジを用いた機構、磁石を用いた機構など種々の変容が考えられる。なお、本実施形態において、図４のような機構としたのは、アダプター５００の着脱をスムーズに行えるようにするためである。
【００３７】
図５はアダプター５００の内部構成について説明する光学側面図である。アダプター５００は、ピントが前眼部に合うように焦点位置を装置側にシフトさせるためのレンズ系５１０と、装着状態の検知を行うためのミラー面（光反射部材）５１５ａが形成された平板５１５（図６の正面図参照）と、を有する。
【００３８】
レンズ系５１０は、アダプター５００と被検眼前眼部との間の適正作動距離ＷＤに対応する焦点距離を持つレンズ系となっており、前眼部上で横断方向に走査される測定光の主光線と光軸Ｌ１が平行となるように構成されている。レンズ系５１０は、一枚のレンズで構成されていてもよいし、複数枚のレンズで構成されていてもよい。
【００３９】
なお、本実施形態において前眼部断層像を撮影する場合、プラスディオプター方向における所定位置（例えば、＋１０Ｄ位置）にフォーカシングレンズ２４が移動され、ＯＣＴ光学系２００による測定光の焦点位置が装置側に移動される。すなわち、アダプター５００の装着とプラス側へのフォーカシングレンズ２４の位置調整により前眼部に対する測定光のフォーカス合わせが可能な装置状態となる。なお、撮影時には、眼Ｅに対する装置の作動距離（前後距離）が調整された後、前眼部に対するフォーカス合わせが行なわれる。
【００４０】
なお、制御部７０は、表示モニタ７５に接続され、その表示画像を制御する。また、制御部７０には、メモリ（記憶部）７２、各種操作を行うための操作部７４、走査駆動機構５１、走査駆動機構５２、参照ミラー駆動機構５０、フォーカシングレンズ６３を光軸方向に移動させるための第１駆動機構６３ａ、フォーカシングレンズ２４を光軸方向に移動させるための第２駆動機構２４ａ、等が接続されている。なお、モニタ７５は、アライメント観察用と撮影画像観察用で別でもよいし、もちろん一つの共用モニタであってもよい。
【００４１】
ここで、制御部７０は、受光素子８３から出力される受光信号に基づいて画像処理により眼底断層像を形成させると共に、受光素子６８から出力される受光信号に基づいて画像処理により眼底正面像を形成させる。
【００４２】
なお、本装置は、アダプター５００無しで被検眼眼底の断層像及び正面像を撮像する眼底撮影モードと、アダプター５００を用いて被検眼前眼部の断層像及び正面像を撮像する前眼部撮影モードと、に設定可能である。そして、制御部７０は、モード切換信号が出力されると、撮影モードに応じて装置の光学配置、モニタの表示画面等を切り換える。
【００４３】
＜アダプター５００の装着状態の光学的検出＞
この場合、赤外光源１５１のうち少なくとも２つは、ミラー面５１５ａに向けて検知光束を出射する検知用光源として兼用され、撮像素子９７はミラー面５１５ａからの反射光束を受光する検知用受光素子として兼用され、制御部７０は、撮像素子９７から出力される受光信号に基づいてアダプター５００の装着状態を検知する。
【００４４】
図７は、アダプター５００に設けられたミラー面５１５ａの作用について説明する図である。アダプター５００が装着された場合、赤外光源１５１のうち、右斜め下方向と左斜め下方向に配置された２つの光源から発せられた光は、アダプター５００に形成された開口部（孔）５１７を通過し、ミラー面５１５ａによって反射される。そして、その反射光は、レンズ系５１０の一部及び対物レンズ１０を介してダイクロイックミラー９１によって反射された後、結像レンズ９５を介して二次元撮像素子９７により受光される。これにより、ミラー面５１５ａによる輝点（反射像）ＫＲ、ＫＬが撮像素子９７上に形成される。
【００４５】
図８はアダプター５００の装着状態に応じて撮像素子９７から出力される撮像画像の違いについて示す図である。図８（ａ）はアダプター５００が適正に装着されたときに取得された画像である。図８（ｂ）はアダプター５００が傾いて装着されたときの画像である。図８（ｃ）はアダプター５００が装着されていないときの図である。
【００４６】
撮像画像の右下端と左下端に形成されたフレーム（アダプター検出枠）ＦＲ／ＦＬは、アダプター５００の装着状態を検知するために仮想的に設定された領域である。
【００４７】
アダプター５００が適正に装着されている場合、図８（ａ）に示すように、輝点ＫＲ／ＫＬの両方が、フレームＦＲ／ＦＬ内の所定の位置で検出される。アダプター５００が傾いた状態で装着されている場合、ミラー面５１５ａが適正位置に対して傾斜するため、図８（ｂ）に示すように、輝点ＫＲ／ＫＬのうち少なくとも一つが、フレームＦＲ／ＦＬ内に位置されるが、前述の所定の位置から外れた位置で検出される。アダプター５００が未装着の場合、図８（ｃ）に示すように、輝点ＫＲ／ＫＬの両方が、フレームＦＲ／ＦＬから外れた位置で検出される（もしくは検出されない）。
【００４８】
そこで、本装置は、撮像素子９７から出力される撮像信号に基づいてアダプター５００の着脱を検知すると共に、アダプター５００の装着が適正か否かを検知する。（詳しくは、後述する）。なお、この前段階として、まず、アダプター５００が適正に装着されているときの撮像画像上における輝点ＫＲ／ＫＬの検出位置を予めメモリ７２に記憶しておく。また、アダプター５００が適正に装着されているときとアダプター５００が適正に装着されていないときの輝点ＫＲ／ＫＬの位置に基づいてフレームＦＲ／ＦＬの位置、大きさが予め設定される。上記ステップは、例えば、装置のキャリブレーションのタイミングにて実施すればよい。
【００４９】
＜装着状態の判定＞
以下に、装着適否の検知手法について図９のフローチャートを用いて説明する。まず、制御部７０は、輝点ＫＲ／ＫＬの直径・輝度レベル等を利用して輝点ＫＲ／ＫＬを画像処理により抽出し、抽出された輝点ＫＲ／ＫＬの中心位置を検出する。
【００５０】
次に、制御部７０は、輝点ＫＲ／ＫＬのうち左右どちらか一方がフレームＦＲ／ＦＬの内側に無ければ、アダプター５００が未装着であると判定し、フレームＦＲ／ＦＬの内側にあれば、アダプター５００が装着されていると判定する。そして、制御部７０は、輝点ＫＲ／ＫＬの両方の検出位置が予めメモリ７２で記憶した位置と一致していれば、アダプター５００が適正に装着されていると判定し、一致していなければ、アダプター５００が傾いて装着されている（装着が適正でない）と判定する。
【００５１】
ここで、制御部７０は、所定のフレームレートにて撮像素子９７から随時出力される撮像画像に対し、前述のように装着状態の判定を連続して行う。そして、５回連続で同じ判定であれば、その判定結果を確定し、これをモニタ７５上に表示する（判定処理終了）。一方、５回連続で同じ判定が得られなければ、判定結果を表示せずに、アダプター５００の検出処理を一旦終了する。この場合、検出処理開始前の判定結果が反映された状態となる。
【００５２】
ここで、アダプター５００の装着が適正でないとの判定結果が確定されると、制御部７０は、アダプター５００の装着が適正でないとの検知信号を出力し、その検知信号に基づいてアダプター５００の装着が適正でない旨（傾いて装着されている旨でもよい）をモニタ７５に表示する。この場合、検者は、再度アダプター５００の装着を行う。
【００５３】
一方、アダプター５００の装着が適正であるとの判定結果が確定されると、制御部７０は、アダプター５００の装着が適正であるとの検知信号を出力し、その検知信号に基づいて眼底撮像モードから前眼部撮像モードへと切換えるためのモード切換信号を発する。
【００５４】
なお、制御部７０は、上記のような装着状態の検知を一定周期（例えば、１秒ごと）にて行う。
【００５５】
以上示したように、アダプター５００の装着の適否が検知され、その検知結果が報知されることにより、アダプター５００が適正に装着されていない状態での前眼部像の撮影が回避される。また、上記構成において、投影光学系１５０及び観察光学系９０を、アダプター５００の装着の適否検知に用いることにより、専用の検知手段を設ける必要がなくなる。
【００５６】
なお、上記構成において、ミラー面５１５ａの設置位置及び反射角度について、アダプター５００が装着されたときの輝点ＫＲ／ＫＬが撮像素子９７の撮像面における端部に形成されるように設定されるのが好ましい。これは、赤外光源１５１による角膜輝点を輝点ＫＲ／ＫＬであると誤って検知しないためである。その他、赤外光源１５１による角膜輝点より輝点ＫＲ／ＫＬのサイズが大きくなるように構成されているので、画像処理における誤検知を回避できる。また、ミラー面５１５ａの形状は、円形に限らず、直線、矩形、等であってもよい。
【００５７】
なお、上記構成において、被検者眼の前眼部にアライメント指標を投影する又は被検眼の前眼部を照明する光源を少なくとも２つ以上設け、その光源のうち少なくとも２つが、検知用光源を兼用されればよい。また、２つの輝点を用いて装着状態を判定するものとしたが、３つ以上の輝点を用いるようにしてもよい。
【００５８】
アダプター５００の装着状態を検知するための構成としては、これに限るものではない。この場合、光学的手法に限らず、電気的、磁気的な検知であってもよい。例えば、検査窓５２０の近傍（例えば、凹部１６５）にフォトセンサ、押圧センサ等を設けるようにしてもよい。なお、装着の適否検知を行う場合、例えば、検査窓５２０の近傍に押圧センサを２つ設け、２つの押圧センサから押圧信号が出力されると、装着が適正であると検知し、一方の押圧センサからの押圧信号のみであれば、装着が適正でないと検知するようにしてもよい。
【００５９】
なお、アダプター５００の装着が適正か否かを検知した結果を報知する構成としては、モニタ７５上での表示の他、専用のランプの点灯によるものであってもよいし、音声によるものであってもよい。
【００６０】
なお、上記構成においては、前記検査窓５２０に対するアダプター５００の装着が適正か否かを検知する構成としたが、単に、検査窓５２０に装着されるアダプター５００の着脱を検知する構成であってもよい。この場合、例えば、制御部７０は、撮像素子９７からの撮像信号を得て、輝点ＫＲ／ＫＬの両方の検出位置が所定位置と一致していれば、アダプター５００の装着を検知し、一致していなければ、アダプター５００の未装着を検知する。そして、その検知結果をモニタ７５に表示する共に、着脱の検知信号に基づいて各種設定を変更する。
【００６１】
また、上記構成において、アダプター５００のレンズ系５１０は、撮影倍率を変更可能なズーム光学系としてもよい。また、ズーム光学系を持つアダプター５００において、前述のようなミラー面５１５ａを設けた場合、ズーム倍率の変更に応じて撮像素子９７上の輝点ＫＲ／ＫＬの検出位置が移動される。そこで、制御部７０は、変更されるズーム倍率が適正か否かを輝点ＫＲ／ＫＬの位置に基づいて判定するようにしてもよい。
【００６２】
また、以上の説明においては、眼底撮像光学系を前眼部撮像光学系に切換えるためのアダプターを例にとって説明したが、もちろん、前眼部撮像光学系を眼底撮像光学系に切換えるためのアダプターにおいても、本発明の適用可能である。この場合、アダプターのレンズ系には、ピントが眼底に合うように焦点位置を被検者側に移動させるためのレンズ系が用いられる。なお、上記眼底撮像装置の他、眼底カメラにおいても、本発明の適用は可能である。
【００６３】
また、上記着脱検知について、眼科撮影装置の検査窓に装着される他のアダプターにおいても、本発明の適用は可能である。例えば、撮影する被検眼像の撮影倍率を変更するためのレンズ系を有する倍率変更用アダプター、撮影画角を変更するための広角レンズアダプター、強度の屈折異常眼の視度を補正するための視度補正用アダプター、等が考えられる。
【００６４】
＜モード切換時の光学配置の自動調整＞
次に、本装置の全体動作について説明する。制御部７０は、ＯＣＴ光学系２００及びＳＬＯ光学系３００を駆動制御してＯＣＴ画像及びＳＬＯ画像を取得していき、モニタ７５上のＯＣＴ画像及びＳＬＯ画像を随時更新する（図１０、図１１参照）。
【００６５】
＜眼底撮影モード＞
まず、眼底撮影モードについて説明する。なお、本モードでは、アダプター５００は使用されない。検者は、図示なき固視灯を注視するように被験者に指示した後、眼底に対するアライメントを行う。そして、ＳＬＯ眼底像がモニタ７５上に表示されるようになると、予め設定される走査パターンに基づきＯＣＴ光学系２００によってＯＣＴ画像が取得され、図１０に示すように、モニタ７５上に表示される。この場合、制御部７０は、受光素子８３から出力される受光信号に基づいて駆動機構５０の駆動を制御し、眼底断層画像が取得されるように測定光と参照光との光路差を調整する。この場合、参照ミラー３１は、被検眼の眼軸長の違いに対応した所定の移動範囲内で移動される。
【００６６】
その後、検者が所望する走査位置／パターンが設定され、所定のトリガ信号が出力されると、制御部７０は、設定された走査位置／パターンに基づいて断層画像を取得し、取得された画像データをメモリ７２に記憶する。また、制御部７０は、これに合わせて、ＳＬＯ光学系３００によって取得される眼底正面像をメモリ７２に記憶する。
【００６７】
＜前眼部撮影モード＞
次に、前眼部撮影モードについて説明する。前眼部撮影モードを実行する場合、検者は、アダプター５００を検査窓１６０に装着する。制御部７０は、上記のようにアダプター５００の装着の適否を検知する。そして、装着が適正と検知され、眼底撮像モードから前眼部撮像モードへと切換えるための切換信号が発せられると、制御部７０は、ＯＣＴ光学系２００及びＳＬＯ光学系３００が前眼部撮影モードに対応した所定の光学配置となるように駆動機構５０、第１駆動機構６３ａ、第２駆動機構２４ａの駆動を制御し、各光学部材の位置を自動的に調整する。
【００６８】
＜光路長調整＞
制御部７０は、モード切換信号に基づいて駆動機構５０の駆動を制御し、前眼部撮影モードに対応する所定位置に参照ミラー３１を位置させる。なお、参照ミラー３１の移動完了後、参照ミラー３１の移動を禁止する又は移動範囲を所定範囲内に制限してもよい。
【００６９】
なお、前述の参照ミラー３１の所定位置は、予めメモリ７２に記憶される。ここで、参照ミラーの位置は、測定光の焦点が眼Ｅの前眼部に合うように被検眼と装置（ＯＣＴ光学系２００）との作動距離が調整された状態で、前眼部断層像が取得可能な位置であることが好ましい。
【００７０】
例えば、作動距離の調整後、前眼部断層像（図中の角膜Ｃ参照）が所定の深さ位置にて取得されるように測定光と参照光の光路差が調整され、そのときの位置がメモリ７２に記憶される。これらは、シミュレーション又は実験により求められる。
【００７１】
上記のようにすれば、参照ミラー３１の移動によって、測定光の焦点が眼Ｅの前眼部に十分に合っていない状態で前眼部断層像が取得されるのを回避できる。また、自動光路長調整において、アダプター５００のレンズ系５１０からの反射光と参照光との干渉光を誤って誤検知してしまうのを回避できる。
【００７２】
なお、参照ミラー３１の所定位置を移動させる場合、参照ミラー３１の位置を検出するセンサ（エンコーダ、ポテンショメータ等）を設け、センサからの検出信号に基づいてメモリ７２に記憶された所定位置に参照ミラー３１を移動させる。また、参照ミラー３１の移動範囲内における所定位置に対応する位置にセンサ（例えば、フォトセンサ）を設け、そのセンサによって参照ミラー３１が所定位置に位置したことが検知されると、参照ミラー３１の移動を停止するようにしてもよい。
【００７３】
なお、上記構成においては、測定光と参照光の光路差を調整するために参照光の光路長を変更するものとしたが、これに限るものではなく、測定光の光路長の光路長を変更するようにしてもよい。例えば、コリメータレンズ２２及び光ファイバー３９ｂの端部を光軸方向に移動するようにしてもよい。
【００７４】
なお、前述の参照ミラー３１の所定位置としては、レンズ系５１０による測定光の反射光と参照光との干渉光によるレンズ系５１０の断層画像の取得が回避可能な位置に設定するようにしてもよい。この場合、レンズ系５１０の断層画像が取得される位置を予め求めておき、これを避けた参照ミラー３１の移動範囲を所定位置として設定すればよい。
【００７５】
この場合、前眼部撮影モードに切換えられ、駆動機構５０への駆動指令信号が出力された場合、制御部７０は、レンズ系５１０の断層画像の取得を回避するために設定された移動範囲内において参照ミラー３１を移動させ、断層像の取得が取得されると、参照ミラー３１の移動を停止する。
【００７６】
＜フォーカス調整＞
ＯＣＴ光学系２００について、制御部７０は、第２駆動機構２４ａの駆動を制御し、前眼部撮影モードに対応する所定位置にフォーカシングレンズ２４を位置させる。そして、フォーカシングレンズ２４が所定位置に到達したら、制御部７０は、第２駆動機構２４ａの駆動を禁止する。
【００７７】
なお、フォーカシングレンズ２４の所定位置は、予めメモリ７２に記憶される。フォーカシングレンズ２４の位置は、設定された所定の適正作動距離において、測定光の焦点が前眼部に合わせられ、かつ、前眼部に向かう測定光の主光線と光軸Ｌ１が平行となる位置であるのが好ましい。そして、その位置がメモリ７２に記憶される。これらは、シミュレーション又は実験により求められる。なお、フォーカシングレンズ２４を所定位置に位置させる手法としては、参照ミラー３１と同様の手法を用いることができる。
【００７８】
また、ＳＬＯ光学系３００について、制御部７０は、第１駆動機構６３ａの駆動を制御し、ＯＣＴ光学系２００と同様に、前眼部撮影モードに対応する所定位置にフォーカシングレンズ６３を移動させる。なお、フォーカシングレンズ６３の移動位置の設定手法については、上記ＯＣＴ光学系２００の場合と同様に設定すればよいので、説明を省略する。
【００７９】
また、モード切換信号が発せられると、制御部７０は、モニタ７５の表示を制御し、表示画面を眼底撮像用から前眼部撮像用に変更する。
【００８０】
制御部７０は、撮影部位に合わせて複数用意された前眼部撮影用走査パターン（例えば、角膜ラインスキャン、角膜クロススキャン、隅角ラインスキャン、など）のそれぞれを選択可能に表示すると共に、走査範囲の表示を画角単位（例えば、４０°）から距離単位（例えば、６．０ｍｍ）へと切換える。また、制御部７０は、各フォーカシングレンズ２４、６３の移動が禁止されている旨を表示する共に、第１駆動機構６３ａ及び第２駆動機構２４ａの駆動を禁止し、実際に各レンズの移動を禁止する。これにより、レンズ２４、６３の位置が所定位置に固定される。
【００８１】
また、検者は、図示なき固視灯を注視するように被験者に指示した後、前眼部に対するアライメントを行う。ここで、検者は、モニタ７５上のＳＬＯ画像を見ながら、そのピントが合うように、装置筐体１００を前後方向に移動させ、被検眼に対する筐体１００の作動距離を調整する。なお、検者は、ＯＣＴ画像が正しく表示されるように、作動距離を調整するようにしてもよい。
【００８２】
なお、場合によっては、前眼部にフォーカスが合うように装置と眼Ｅとの作動距離を確保する必要がありうる（例えば、装置に設けられた額当ての厚みを増加させるなどの処置）。この場合、筐体１００を電動にて移動させる電動駆動部を設け、制御部７０は、前述のモード切換信号に基づいて電動駆動部の駆動を制御し、前眼部撮影に対応する所定の前後位置に向けて筐体１００を移動させるようにしてもよい。
【００８３】
上記のようにして、前眼部に対するアライメントが完了されると、予め設定された走査パターンに基づきＯＣＴ光学系２００によって前眼部断層像が取得され、モニタ７５上に動画表示される（図１１参照）。
【００８４】
その後、検者が所望する走査位置／パターンが設定され、所定のトリガ信号が出力されると、制御部７０は、設定された走査位置／パターンに基づいて走査駆動機構５１の駆動を制御し、前眼部断層像を取得し、取得された画像データをメモリ７２に記憶する。また、制御部７０は、これに合わせて、ＳＬＯ光学系３００によって取得される前眼部正面像をメモリ７２に記憶する。
【００８５】
以上示したように、アダプター５００の着脱を検知する検知信号に基づいて前眼部撮影モードに対応する各設定を変更することにより、前眼部撮影をスムーズに行うことができる。
【００８６】
なお、制御部７０は、眼底撮影モードにて撮影された断層像を眼底像、前眼部撮影モードにて撮影された断層画像を前眼部像として判別し、その判別結果と断層画像を対応づけてメモリ７２に記憶するのが好ましい。
【００８７】
なお、上記のように前眼部像が撮影された後、アダプター５００が装置から外されると、所定の位置で検出されていた輝点ＫＲ／ＫＬの両方が撮像素子９７の撮像面から消える。ここで、前述のアダプター５００の装着状態の判定において、所定の位置で検出されていた輝点ＫＲ／ＫＬの両方がフレームＦＲ／ＦＬの内側から無くなりアダプター５００が未装着であると判定されると、検査窓１６０からのアダプター５００の離脱を検知し、前眼部撮像モードから眼底撮像モードへと切換えるための切換信号を発する。
【００８８】
切換信号が発せられると、制御部７０は、ＯＣＴ光学系２００及びＳＬＯ光学系３００が眼底撮影モードに対応した光学配置となるように駆動機構５０、第１駆動機構６３ａ、第２駆動機構２４ａの駆動を制御し、各光学部材の位置を自動的に調整する。この場合、参照ミラー３１、各フォーカシングレンズ２４、６３は、所定の原点位置に移動される。
【００８９】
また、前述の切換信号が発せられると、制御部７０は、モニタ７５の表示を制御し、表示画面を前眼部撮像用から眼底撮像用に変更する。
【００９０】
より具体的には、制御部７０は、複数用意された眼底撮影用走査パターン（例えば、ラインスキャン、クロススキャン、ラディアルスキャン、など）のそれぞれを選択可能に表示すると共に、走査範囲の表示を距離単位（例えば、６．０ｍｍ）から画角単位（例えば、４０°）へと切換える。また、制御部７０は、各フォーカシングレンズ２４、６３の移動を許可する旨を表示する共に、実際に各レンズの移動を許可する。
【００９１】
なお、アダプター５００が装着されたときに発せられる検知信号に基づいて前眼部撮影モードに対応する変更制御を行う場合、上記手法に限るものではない。例えば、制御部７０は、前眼部撮影モードへの切換を促す旨（例えば、前眼部撮影モードに移行するか否かをＹＥＳ／ＮＯで問う、など）をモニタ７５に表示し、所定の選択信号に基づいて前述の変更制御を行うようにしてもよい。
【００９２】
なお、上記構成において、アダプター５００の装着検知でなくとも、眼底撮影モードから前眼部撮影モードへ切換えるためのモード切換信号に基づいてＯＣＴ光学系２００及びＳＬＯ光学系３００の少なくともいずれかの光学配置が調整される制御であれば、これに限るものではない。例えば、所定のモード切換スイッチから出力される切換信号に基づいて自動的に調整制御が行われる。
【００９３】
なお、上記構成においては、モード切換信号に基づいて光学配置を調整するものとしたが、前眼部撮影モードにて撮影を行う場合に、駆動指令信号に基づいて光学配置が調整されるものであればよい。例えば、前眼部撮影モードへの移行後、操作部７４からの操作信号に基づいて調整を開始するようにしてもよい。また、被検眼に対する装置の作動距離を検出するアライメント検出光学系を設け、その検出信号に基づいて適正作動距離に達したことが検知されたとき、断層画像を得るための参照ミラー３１の自動調整を行うようにしてもよい。
【００９４】
また、上記モード切換時の光学配置の自動調整について、アダプター５００の装着により眼底と前眼部の断層像を得る装置でなく、装置内部にてレンズ系の挿脱により測定光の焦点位置を前眼部と眼底とで切換える構成を有する装置においても、本発明の適用は可能である。
【図面の簡単な説明】
【００９５】
【図１】本実施形態の眼科撮影装置の光学系及び制御系を示す図である。
【図２】アダプターの未装着時と装着時における検査窓近傍の状態を示す外観斜視図である。
【図３】モニタ上の前眼部観察画面を示す図である。
【図４】アダプターが検査窓に装着されたときの断面図である。
【図５】アダプターの内部構成について説明する光学側面図である。
【図６】アダプターに設けられた平板を対物レンズ側から見たときの正面図である。
【図７】アダプターに設けられたミラー面の作用について説明する図である。
【図８】アダプター５００の装着状態に応じて撮像素子から出力される撮像画像の違いについて示す図である。
【図９】装着適否の検知手法について説明するフローチャートである。
【図１０】眼底正面像と眼底断層像がモニタに表示された場合の図である。
【図１１】前眼部正面像と前眼部断層像がモニタに表示された場合の図である。
【符号の説明】
【００９６】
２３  走査部
２４  フォーカシングレンズ
２４ａ  駆動機構
３１  参照ミラー（光路長可変部材）
５０  駆動機構
５１  走査駆動機構
７０  制御部
７５  モニタ
９０  前眼部観察光学系
９７  撮像素子
１５１  赤外光源
２００  干渉光学系（ＯＣＴ光学系）
３００  ＳＬＯ光学系
５００  アダプター
５１０  レンズ系
５１５ａ  ミラー面
５２０  検査窓
【図１】
0005545630.tif 000002
【図２】
0005545630.tif 000003
【図３】
0005545630.tif 000004
【図４】
0005545630.tif 000005
【図５】
0005545630.tif 000006
【図６】
0005545630.tif 000007
【図７】
0005545630.tif 000008
【図８】
0005545630.tif 000009
【図９】
0005545630.tif 000010
【図１０】
0005545630.tif 000011
【図１１】
0005545630.tif 000012